(57)【要約】【課題】  整体術の補助用として使用することができ、振動面の振動が一端から他端に順次大きく発生するために、衝撃を緩和して徐々に大きく振動を付与でき、また、寝た姿勢でも身体の下に当てやすく、同時に背骨や骨盤などの矯正すべき所に当てることにより、その振動動作により自動的に矯正へと自然に作用することができる整体用バイブレータを提供する。【解決手段】  Ｖ字形に屈折する一片が基板として他片が振動板として形成され、且つ、振動板の先端に振動装置の取付片がＶ字形の口を封じるように屈折して形成され、基板の外面に摩擦の生じやすい緩衝シートを貼り合わせ、振動板の外面には身体に当たる緩衝マットを貼り合わせ、Ｖ字形の両横にその横口を封じる側板を取り付けた。【選択図】    図１
2005081213.tif 000002
【特許請求の範囲】
【請求項１】
Ｖ字形に屈折する一片が基板として他片が振動板として形成され、且つ、振動板の先端に振動装置の取付片がＶ字形の口を封じるように屈折して形成され、基板の外面に摩擦の生じやすい緩衝シートを貼り合わせ、振動板の外面には身体に当たる緩衝マットを貼り合わせ、Ｖ字形の両横にその横口を封じる側板を取り付けたことを特徴とする整体用バイブレータ。
【請求項２】
振動装置について、振動板に屈折する取付片にモータを挟むコ字形の支持部材を固着し、モータの回転軸に重りとしての偏心転子を取り付けたことを特徴とする請求項１記載の整体用バイブレータ。
【発明の詳細な説明】
【技術分野】
【０００１】
この発明は、整体術の施術に補助的に使用するのに適し、また、健康の増進や疾患の治療などのためにも適する整体用バイブレータに関する。
【背景技術】
【０００２】
整体術は、「人間の体を構造的に捉え、背骨や骨盤を中心とした骨格のズレを矯正することで万病を回復させることができる。」という考え方を基本とするもので、これによれば、１、２回の施術で矯正し治ることも珍しくないが、ズレや歪みがその人の生活習慣により、１０年、２０年かけて生じたために頑固であることがある。
【０００３】
この場合であると、例えば、３kg〜４kgの力を持続して加えることが必要であり、例えば整体治療士が指先や手，腕，肘等による押圧（指圧）などで数十分にわたって長時間治療し続けることは大変なことである。たとえ、そのようにして矯正して一時的に治っても直ぐに元に戻るため、施術回数を重ねる必要がある場合もあった。このような時に人の手による施術には限界があるので、人の手によることなく、長時間にわたって自動的に且つ軽く自然的に整体術相当の矯正効果が得られる手段が望まれていた。また、その場合、施術前に補助的に肉体をほぐすと効果的であるが、この補助的な使用において振動でショックを与えては逆効果となることもあるので、振動を徐々に大きく身体に加えると良いことが分かった。
【０００４】
また従来、整体用バイブレータには、手で持って使用するハンドル式のものと、椅子やベッドに寝る姿勢となる仰向け式のもの、足を載せてなす踏み式のものなどがある。そのうちハンドル式の整体用バイブレータは、矩形に近い形状の基盤ケースの口にクッション付きの振動板を合わせ、モータによる振動装置を内装したもので、基盤ケースに固定されているハンドルを持って所定箇所に振動板をクッションで押し当てながら使用され、こうすると、振動により血液の循環が良くなり、筋肉の緊張が緩和されることにより、肩凝りや腰痛などが改善される。
【０００５】
また、椅子式のものでは、背もたれに振動装置を内装し、踏み式のものでは踏み座に振動装置が内装され、同じような効果が期待される。
【０００６】
いずれの場合も、基盤ケースに対して振動装置を介して振動板が対面して組み合わさる構造であるため、身体に当たる範囲においては均等に振動が及ぶ。したがって、押し当てると同時にその全面に振動が一挙に及ぶために、その点で衝撃的であり、身体の緊張を有効に緩和する点で問題があった。このことは、単に個人的、家庭的に使用する場合に限らなく、整体術において専門的に使用する場合についても重要である。
【０００７】
また、ハンドル式の場合であると、それを自分で若しくは他人に持たせて患部に当てることになるが、患部が寝ている人の下（背中や横腹など）に位置するときには、たとえ他人に持たせても当てにくいばかりでなく、身体の下に入れると角が当たって痛みが生じるという不都合があった。
【発明の開示】
【発明が解決しようとする課題】
【０００８】
この発明は、上記のような実情に鑑みて、整体術の補助用として使用することができ、振動面の振動が一端から他端に順次大きく発生するために、衝撃を緩和して徐々に大きく振動を付与でき、また、寝た姿勢でも身体の下に当てやすく、同時に背骨や骨盤などの矯正すべき所に当てることにより、その振動動作により自動的に矯正へと自然に作用することができる整体用バイブレータを提供することを目的とした。
【課題を解決するための手段】
【０００９】
上記の目的を達成するために、この発明は、Ｖ字形に屈折する一片が基板として他片が振動板として形成され、且つ、振動板の先端に振動装置の取付片がＶ字形の口を封じるように屈折して形成され、基板の外面に摩擦の生じやすい緩衝シートを貼り合わせ、振動板の外面には身体に当たる緩衝マットを貼り合わせ、Ｖ字形の両横にその横口を封じる側板を取り付けたことを特徴とする整体用バイブレータを提供するものである。
【００１０】
整体用バイブレータを上記のように構成したから、振動装置により振動板には折返点を支点として振れる振動となるため、振幅は薄い先には小さく、そこから厚い後端には徐々に大きく発生する。そこで、身体にさするように当てるときにはＶ字形の折返点の方を先にして進めると、徐々に大きい振動を身体に与えることになる。また、所定の箇所に当てる際に、それが身体の下であるときには、先端から容易に差し入れることができ、そうしても角が身体に当たるようなことはない。しかも、身体の矯正すべき箇所を狙ってＶ字形の折返点を差し込めば、長時間の振動を伴ないながら徐々に矯正が行われ、ごく自然の状態で整体機能を発揮することができる。
【発明の効果】
【００１１】
以上説明したように、この発明の整体用バイブレータによれば、その振動が自動的に整体機能を発揮するように作用し、さらに、振動面の振動が一端から他端に順次大きく発生するために、衝撃を緩和して徐々に振動を付与できることから、緊張をゆるやかに解きほぐしながら治療効果を高めることができ、また、寝た姿勢でも身体の下に当てやすく、その際に痛みがなく、自分で使用するのにも適し、また、寝たきりの人にも容易に施術することができる。このように本発明バイブレータは、整体術において、手による長時間にわたる施術に代わるものとして、補助的に使用するのに最適である。
【発明を実施するための最良の形態】
【００１２】
次に、この発明の実施の形態を図面に基づいて説明する。
【００１３】
図面は、一実施の形態を示したもので、その整体用バイブレータＴは、横に長い板材をＶ字形に折り曲げることにより、その一片を基板１、他片を振動板３となし、さらに、振動板３の先端にＶ字口を封じるように屈折する取付片５を形成し、その内側に振動装置７が装備される。また、基板１の外面に緩衝シート９を、振動板３の外面に緩衝マット１１がそれぞれ貼り合わされ、両側にはＶ字形の横口を封じる側板１３，１３が設けられる。
【００１４】
振動の発生部は、振動装置７の取付片５であるが、この振動を許容するために、基板１には取付片５の先端を受ける緩衝枕１２を接着し、且つ、緩衝枕１２と取付片５との間に僅かの隙間１６が設けられる。
【００１５】
全体的にこのようにＶ字形に先端へ徐々に薄型であるため、寝ている人にもその下に、例えば、背骨側を狙って背中に、骨盤側を狙って太股の下や、尻の下にというように差し込んで場所を選定でき（図４参照）、そのとき振動板３の上の緩衝シート１１を所定箇所に当てることによりそこに振動を施すことができる。なお、真ん中に当てるには、やゝ身体を横向きにすることになる。
【００１６】
基板１、振動板３および取付片５を一体に形成する板材には、丈夫で弾性変形する材質のもの、例えば、鉄合金、銅合金、アルミ合金などの金属板が使用される。また、プラスチックにより所定の形状に一体成形することもできる。いずれにしても、取付片５に振動装置７が取り付けられ、基板１に対して振動板３が折返点部１４を支点として上下に振動するが、振幅がその支点の先端から基端に徐々に大きくなる。
【００１７】
そこで、被施術者の下に先端から差し込んで使用するときには、体重が掛かりやすい最も強く接触する先端では弱く振動することにより、振動の均等が取れることになる。つまり、身体の重みが掛かる部分では弱く振動し、軽く掛かる部分では大きく振動するので調和が取れることになる。また、折返点部１４を先にして身体に滑らせながらさするように振動を施す場合には、最初に弱い振動を先行させて徐々に振動を高めることとなり、振動がショック的にならなく身体の緊張をほぐしやすい。
【００１８】
また、Ｖ字形の先細部（折返点部１４）から身体の矯正箇所方向へ差し込むので、矯正箇所が奥の方であっても挿入し易く、さらに矯正の程度に従って徐々にこの装置を進入させ易く、その進入によっても、身体にはほとんど負荷を与えない利点がある。
【００１９】
振動装置７は、モータ１５の回転軸１７に重りの偏心転子１９を取り付けたもので、モータ１５の取り付けについては、取付片５にモータ１５を挟むコ字形の支持部材２１がビス２３により固着される。したがって、モータ１５により偏心転子１９が回転すると、折返点部１４を支点として振動板３が高速に振れることになる。
【００２０】
側板１３，１３は、基板１と振動板３との間の両横を封じるもので、振動板３の内側と取付片５の内側に接合する止め代２５，２５が屈折して形成され、それがビス２７によりそれぞれに止められる。しかし、振動の妨げにならにように基板１との間には隙間２９が設けられる。また、この両側板１３，１３には、モータ１５の電源コード３０の差込口３１，３１が設けれている。
【００２１】
緩衝マット１１には、クッション性を有するものであれば、その材質は特に限定されるものではなく、発泡樹脂、発泡ゴムなどが適している。また、緩衝シート９は、クッション性と摩擦を有するものであれば良く、基板１の材質から特に必要がないときもあり、そうしたときに緩衝シート９を設けなくてもこの発明の趣旨に反しないものとする。
【００２２】
図４は、整体用バイブレータＴ，Ｔを背中の下に差し入れた使用状態と、首の下に入れた使用状態を示している。そのうち、首下の使用では頸部の傾斜に沿うように振動板３および緩衝マット１１の傾斜が設置されるので好都合である。
【図面の簡単な説明】
【００２３】
【図１】この発明の整体用バイブレータを示す斜視図である。
【図２】同整体用バイブレータの側面から見た断面図である。
【図３】図２のＡ−Ａ線矢視の断面図である。
【図４】使用状態の例を示す説明図である。
【符号の説明】
【００２４】
Ｔ  整体用バイブレータ
１  基板
３  振動板
５  取付片
７  振動装置
９  緩衝シート
１１  緩衝マット
１３  側板
１４  折返点部
１５  モータ
１７  回転軸
１９  偏心転子
２１  支持部材
【図１】
2005081213.tif 000003
【図２】
2005081213.tif 000004
【図３】
2005081213.tif 000005
【図４】
2005081213.tif 000006